(57)【特許請求の範囲】
【請求項１】
着用者の臀部を覆う後身頃と、下腹部を覆う前身頃と、陰部を覆う股下マチ部と、腹部および腰部を周回する帯部とが縫合されて形成され、
前記着用者の臀部に対面して前記後身頃を前記着用者の尾てい骨から離す弾性パッドと、
前記弾性パッドが着脱可能である収納部が裏側に形成されると共に、前記着用者の臀部から模られた膨らみが表側に形成された臀部保護パッドと、が備えられ、
前記臀部保護パッドが着脱可能である袋部が、前記後身頃の裏側に形成され、
前記弾性パッドが前記後身頃の裏側に備えられ、前記後身頃と前記弾性パッドとの間に臀部保護パッドが備えられた、
ことを特徴とする尾てい骨保護下着。
【請求項２】
前記弾性パッドまたは前記臀部保護パッドの少なくともいずれか一方に、消臭処理が施された、
ことを特徴とする請求項１に記載の尾てい骨保護下着。
【請求項３】
前記帯部の幅が、前記前身頃から前記後身頃にかけて徐々に広くなるように形成された、
ことを特徴とする請求項１または請求項２に記載の尾てい骨保護下着。
【請求項４】
前記弾性パッドに通気孔が形成された、
ことを特徴とする請求項１から請求項３のいずれか１項に記載の尾てい骨保護下着。
【請求項５】
前記後身頃、前記前身頃、前記股下マチ部、前記帯部、および前記袋部のそれぞれの縫合部が平坦である、
ことを特徴とする請求項１から請求項４のいずれか１項に記載の尾てい骨保護下着。
【請求項６】
前記後身頃、前記前身頃、前記股下マチ部、前記帯部、および前記袋部が伸縮性素材で形成され、前記股下マチ部の裏地に消臭処理が施された、
ことを特徴とする請求項１から請求項５のいずれか１項に記載の尾てい骨保護下着。
【発明の詳細な説明】
【技術分野】
【０００１】
本発明は、尾てい骨を保護することができる下着に関するものである。
【背景技術】
【０００２】
従来、尾てい骨疾患は、例えば、内科、整形外科、整骨院などで治療が施されるが、日常生活における着座の際に、尾てい骨が圧迫、擦過されて再発する場合がある。また、尾てい骨疾患は、治療時における臀部の露出に抵抗を感じる患者も多く、治療に至らない場合もある。
【０００３】
ここで、尾てい骨を保護する衣服として、着座の際に尾てい骨や臀部などが地面から受ける抵抗を緩和させるように構成された、下記特許文献１に記載の作業用インナーパンツが提案されている。
【０００４】
この作業用インナーパンツは、尾てい骨から上方を覆う部分や、左右の臀部を覆う部分などの裏地にポケットが形成され、このポケットに保護パッドが装着されている。
【先行技術文献】
【特許文献】
【０００５】
【特許文献１】登録実用新案第３１１８１１３号公報
【発明の概要】
【発明が解決しようとする課題】
【０００６】
しかし、上記した作業用インナーパンツでは、保護パッドが尾てい骨に接触するため、尾てい骨疾患に対して患部を痛める場合がある。
【０００７】
本発明は、上記の実情に鑑みて提案されたものである。すなわち、尾てい骨を保護して、長時間の着用および着座が快適となる尾てい骨保護下着の提供を目的とする。
【課題を解決するための手段】
【０００８】
上記目的を達成するために、本発明に係る下着は、着用者の臀部を覆う後身頃と、下腹部を覆う前身頃と、陰部を覆う股下マチ部と、腹部および腰部を周回する帯部とが縫合されて形成され、前記着用者の臀部に対面して前記後身頃を前記着用者の尾てい骨から離す弾性パッドが、前記後身頃の裏側に備えられた、ことを特徴としている。
【０００９】
また、前記後身頃と前記弾性パッドとの間に、臀部保護パッドが備えられ、前記後身頃の裏側に、前記臀部保護パッドが着脱可能である袋部が形成され、前記臀部保護パッドに、前記弾性パッドが着脱可能である収納部が形成された、ことを特徴としている。
【００１０】
また、前記臀部保護パッドは、前記着用者の臀部から模られた形状に形成された、ことを特徴としている。
【００１１】
また、前記弾性パッドまたは前記臀部保護パッドの少なくともいずれか一方に、消臭処理が施された、ことを特徴としている。
【００１２】
また、前記帯部の幅が、前記前身頃から前記後身頃にかけて徐々に広くなるように形成された、ことを特徴としている。
【００１３】
また、前記弾性パッドに通気孔が形成された、ことを特徴としている。
【００１４】
また、前記後身頃、前記前身頃、前記股下マチ部、前記帯部、および前記袋部のそれぞれの縫合部が平坦である、ことを特徴としている。
【００１５】
また、前記後身頃、前記前身頃、前記股下マチ部、前記帯部、および前記袋部が伸縮性素材で形成され、前記股下マチ部の裏地に消臭処理が施された、ことを特徴としている。
【発明の効果】
【００１６】
本発明に係る尾てい骨保護下着は、上記した構成である。この構成により、尾てい骨保護下着は、後身頃が尾てい骨に接触しない。したがって、尾てい骨保護下着は、尾てい骨を保護することができ、長時間の着用および着座が快適となる。
【００１７】
特に、尾てい骨保護下着は、後身頃と弾性パッドとの間に、臀部保護パッドが備えられ、後身頃の裏側に、臀部保護パッドが着脱可能である袋部が形成され、臀部保護パッドに、弾性パッドが着脱可能である収納部が形成されている。この構成により、尾てい骨保護下着は、臀部保護パッドが自由に着脱され、また、臀部保護パッドの着脱にかかわらず外観が通常の下着と同じである。したがって、尾てい骨保護下着によれば、着座の際にのみ臀部保護パッドを装着することができ、用途が選択的である。
【００１８】
特に、臀部保護パッドは、着用者の臀部から模られた形状に形成されている。この構成により、臀部と座面との接触面に臀部保護パッドが適切に配置され、また、後身頃の外観が臀部に近似する。したがって、尾てい骨保護下着は、尾てい骨を保護することができ、また、着用者の臀部の外観を美しくみせることができる。
【００１９】
特に、弾性パッドまたは臀部保護パッドの少なくともいずれか一方に、消臭処理が施されている。したがって、尾てい骨保護下着によれば、長時間の着用および着座が快適となる。
【００２０】
特に、帯部の幅が、前身頃から後身頃にかけて徐々に広くなるように形成されている。この構成により、帯部が着用者の腹部および腰部に食い込むことが抑止される。したがって、尾てい骨保護下着によれば、長時間の着用および着座が快適となる。
【００２１】
特に、弾性パッドに通気孔が形成されている。この構成により、尾てい骨保護下着は臀部近傍の通気性が良い。したがって、尾てい骨保護下着によれば、長時間の着用および着座が快適となる。
【００２２】
特に、後身頃、前身頃、股下マチ部、帯部、および袋部のそれぞれの縫合部が平坦である。この構成により、縫合部と肌との擦過による抵抗が軽減される。したがって、尾てい骨保護下着によれば、長時間の着用および着座が快適となる。
【００２３】
特に、後身頃、前身頃、股下マチ部、帯部、および袋部が伸縮性素材で形成され、股下マチ部の裏地に消臭処理が施されている。この構成により、着用者への圧迫が抑止される。したがって、尾てい骨保護下着によれば、長時間の着用および着座が快適となる。
【図面の簡単な説明】
【００２４】
【図１】本発明の実施形態に係る尾てい骨保護下着を示し、（ａ）が正面図、（ｂ）が後面図、および（ｃ）が側面図である。
【図２】本発明の実施形態に係る尾てい骨保護下着の臀部保護パッドを示し、（ａ）が表面図、（ｂ）が裏面図である。
【図３】本発明の実施形態に係る尾てい骨保護下着の弾性パッドを示す拡大斜視図である。
【発明を実施するための形態】
【００２５】
以下に、本発明の実施形態を図面に基づいて説明する。なお、本実施形態に係る尾てい骨保護下着を理解しやすくするため、適宜、人体の各部名称を用いて説明する。
【００２６】
図１は、本実施形態に係る尾てい骨保護下着１を示す図である。図１において、尾てい骨保護下着１は、下着本体１０と、この下着本体１０に装着される臀部保護パッド３０（図２参照）と、この臀部保護パッド３０に装着される弾性パッド４０（図３参照）とから構成されている。
【００２７】
下着本体１０は、着用者の臀部を覆う後身頃１１と、下腹部を覆う前身頃１２と、陰部および大腿部の内側近傍を覆う股下マチ部１３と、腹部および腰部を周回する帯部１５と、袋部１８とが縫合されて形成されている。下着本体１０は、ナイロン、綿、およびポリウレタンなどから構成された伸縮性の素材により形成されている。股下マチ部１３および袋部１８には、銀（Ａｇ）などにより消臭処理が施されている。銀（Ａｇ）は、繊維に練り込まれ、または生地に塗布されている。
【００２８】
下着本体１０は、後身頃１１、前身頃１２、股下マチ部１３、帯部１５、および袋部１８のそれぞれの縫合部２が平坦である。すなわち、縫合部２は、フラットシーマミシンなどにより、それぞれの生地の端が突き合せられた状態で縫い合わせられ、縫い代によるカサ高が解消されている。
【００２９】
前身頃１２は、ほぼ逆三角形に裁断され、両斜辺が着用者の大腿部の付け根である鼡径部近傍（いわゆるＶゾーン）に配置される。後身頃１１は、臀部から鼡径部または腹部近傍に至る一枚の生地で形成され、前身頃１２の両斜辺縁に縫合されている。股下マチ部１３は、ほぼ長方形に裁断され、前身頃１２の頂点と後身頃１１との間に縫合され、後身頃１１とで大腿部を覆うことができるように形成されている。帯部１５は、前身頃１２の底辺と、後身頃１１の周縁とに縫合され、腹部および腰部を周回して覆うことができるように形成されている。
【００３０】
袋部１８は、後身頃１１の裏側、すなわち、臀部が接触する側に縫合されている。袋部１８は、ほぼＵ字状であり、臀部から大腿部の付け根に至って形成され、開口部１９が帯部１５に沿って形成されている。袋部１８は、後述する臀部保護パッド３０が装着され、開口部１９を通じて臀部保護パッド３０が着脱可能である。
【００３１】
股下マチ部１３には、裏地１４が縫合されている。裏地１４は、例えば、綿などから形成され、吸湿性がある。裏地１４には、上記同様の消臭処理が施されている。
【００３２】
帯部１５は、前身頃１２側の幅狭部１６から後身頃１１側の幅広部１７にかけて徐々に幅が広くなっている。詳説すれば、帯部１５は、腹部と腰部との境界近傍（骨盤の寛骨近傍）である幅狭部１６の幅が約３．５ｃｍ、腰部の腰椎近傍である幅広部１７の幅が約６ｃｍである。
【００３３】
図２は、下着本体１０に着脱される臀部保護パッド３０を示した図である。図２において、臀部保護パッド３０は、着用者が着座した状態において、臀部と座面との接触面から模られた形状に形成されている。すなわち、尾てい骨から、仙骨近傍に至る中心部３１と、この中心部３１から左右の臀部に至るほぼ半円形状の左側部３２および右側部３３（以下、左右側部と記す。）と、から構成されている。左右側部３２、３３は、中心部３１を境界に対称に形成されている。
【００３４】
臀部保護パッド３０は、パッド表側３６に臀部から模られた膨らみを有し、中心部３１が左右側部３２、３３よりも肉薄に形成され、左右側部３２、３３が中心部３１よりも肉厚に形成されている。臀部保護パッド３０は、パッド裏側３７に収納部３５が縫合されている。収納部３５は、臀部保護パッド３０の中心部３１を境界に対称となるように、左右側部３２、３３にそれぞれ縫合されている。収納部３５は、収納口３４を有するほぼ半円形状の袋状に形成され、収納口３４が臀部保護パッド３０の中心部３１の両側で対峙している。収納部３５は、ナイロン、綿、ポリウレタンなどから構成された伸縮性の素材により形成されている。収納部３５は、後述する弾性パッド４０の面積よりも大きく形成され、収納口３４を通じて弾性パッド４０が着脱可能である。
【００３５】
図３は、臀部保護パッド３０に着脱される弾性保護パッド４０を示した図である。図３において、弾性パッド４０は、平行な平面と底面とを有する板状であり、例えば、勾玉状、凹状、弧状などに形成されている。すなわち、弾性パッド４０の側面は、凹弧状の側面と、凸弧状の側面とが緩やか連なって形成されている。弾性パッド４０は、着用者が着座した状態において、坐骨結節と座面との接触面の範囲を含む大きさに形成されている。弾性パッド４０は、平面から底面に向けて厚み方向に貫通する複数の通気孔４２が形成されている。通気孔４２は、弾性パッド４０の側面が連なる平面の縁である枠部４１の内側に形成されている。弾性パッド４０は、ポリウレタンが含有された発砲成形であり、厚みが約１ｃｍ、枠部４１の幅が約７ｍｍである。
【００３６】
弾性パッド４０は、圧縮弾性率において、ストロークが２ｍｍ以上であり、圧縮持続時間が１７ｍｓｅｃ以上である（圧縮試験ＪＩＳＫ７１８１、圧力２０００Ｎ、圧盤１００ｍｍ、１２０ｍｍ）。すなわち、弾性パッド４０は、着座により臀部からの圧力を受けて圧縮された場合、圧縮後の厚みが２ｍｍ以上である。なお、弾性保護パッド４０は、例えば、寝具や椅子など様々な用途に用いられる。
【００３７】
臀部保護パッド３０、または弾性パッド４０のうち、少なくともいずれか一方には、上記同様の消臭処理が施されている。
【００３８】
上記のようにして、下着本体１０、臀部保護パッド３０、および弾性パッド４０がそれぞれ構成されている。尾てい骨保護下着１は、弾性パッド４０が、臀部保護パッド３０のパッド裏側３７に縫合された収納部３５に、収納口３４を通して装着され、臀部保護パッド３０が、後身頃１１に縫合された袋部１８に、開口部１９を通して装着されて形成される。袋部１８に装着された臀部保護パッド３０は、パッド表側３６が下着本体１０の後身頃１１の裏側と対面し、パッド裏側３７が臀部と対面する。
【００３９】
着用者が着座した状態において、尾てい骨保護下着１は、臀部と座面との接触面に臀部保護パッド３０が配置され、坐骨結節と座面との接触面に弾性パッド４０が配置される。臀部保護パッド３０の中心部３１と尾てい骨との間に空隙が形成されている。
【００４０】
次に、本実施形態の効果を説明する。
【００４１】
上記したように、本実施形態によれば、尾てい骨保護下着１は、弾性パッド４０が、臀部保護パッド３０のパッド裏側３７に縫合された収納部３５に、収納口３４を通して装着され、臀部保護パッド３０が、後身頃１１に縫合された袋部１８に、開口部１９を通して装着されて形成されている。この構成により、臀部保護パッド３０の中心部３１と尾てい骨との間に空隙が形成され、尾てい骨保護下着１は、後身頃１１が尾てい骨に接触しない。したがって、尾てい骨保護下着１によれば、尾てい骨を保護することができ、長時間の着用および着座が快適となる。
【００４２】
尾てい骨保護下着１は、袋部１８が、後身頃１１の裏側、すなわち、臀部が接触する側に縫合されている。この構成により、尾てい骨保護下着１は、外観が通常の下着と同じであり、また、臀部保護パッド３０がずり上がることが抑止される。したがって、尾てい骨保護下着１は、目立つことなく通常の下着として用いられる。
【００４３】
尾てい骨保護下着１の袋部１８は、臀部保護パッド３０が装着され、開口部１９を通じて臀部保護パッド３０が着脱可能である。この構成により、保護パッド３０が自由に着脱され、着座の際にのみ臀部保護パッド３０を装着することができる。したがって、尾てい骨保護下着１は用途が選択的である。また、保護パッド３０が脱去され、尾てい骨保護下着１の洗濯が可能である。したがって、尾てい骨保護下着１は衛生的である。
【００４４】
臀部保護パッド３０の収納部３５は、弾性パッド４０の面積よりも大きく形成され、収納口３４を通じて弾性パッド４０が着脱可能である。この構成により、収納部３５内で臀部保護パッド３０における弾性パッド４０の位置を調整し、坐骨結節に適切に接触させることができる。したがって、尾てい骨保護下着１によれば、長時間の着用および着座が快適となる。
【００４５】
臀部保護パッド３０は、着用者が着座した状態において、臀部と座面との接触面から模られた形状に形成され、パッド表側３６に臀部から模られた膨らみを有している。この構成により、臀部と座面との接触面に臀部保護パッドが適切に配置され、また、後身頃１１の外観が臀部に近似する。したがって、尾てい骨保護下着１は、尾てい骨を保護することができ、また、着用者の臀部の外観を美しくみせることができる。
【００４６】
尾てい骨保護下着１は、股下マチ部１３、裏地１４、袋部１８、臀部保護パッド３０、および弾性パッド４０に、銀（Ａｇ）などが繊維または素材に練り込まれ、或いは塗布されていることにより消臭処理が施されている。この構成により、排泄物や分泌物による臭気が抑止される。したがって、尾てい骨保護下着１によれば、長時間の着用および着座が快適となる。
【００４７】
帯部１５は、腹部と腰部との境界近傍（骨盤の寛骨近傍）である幅狭部１６の幅が約３．５ｃｍ、腰部の腰椎近傍である幅広部１７の幅が約６ｃｍである。この構成により、帯部１５が着用者の腹部および腰部に食い込むことが抑止される。したがって、尾てい骨保護下着１によれば、長時間の着用および着座が快適となる。
【００４８】
弾性パッド４０は、平面から底面に向けて厚み方向に貫通する複数の通気孔４２が枠部４１の内側に形成されている。この構成により、尾てい骨保護下着１は、臀部近傍の通気性が良く着用者の発汗を妨げない。したがって、尾てい骨保護下着１によれば、長時間の着用および着座が快適となる。
【００４９】
弾性パッド４０は、ポリウレタンが含有された発砲成形であり、厚みが約１ｃｍ、枠部４１の幅が約７ｍｍである。この構成により、通気孔４２が形成されても堅牢であり、耐久性に優れている。
【００５０】
下着本体１０は、後身頃１１、前身頃１２、股下マチ部１３、帯部１５、および袋部１８のそれぞれ縫合部２が平坦である。すなわち、縫合部２は、フラットシーマミシンなどにより、それぞれの生地の端が突き合せられた状態で縫い合わせられ、縫い代によるカサ高が解消されている。この構成により、縫合部２と肌との擦過による抵抗が軽減される。したがって、尾てい骨保護下着１によれば、長時間の着用および着座が快適となる。
【００５１】
尾てい骨保護下着１は、ナイロン、綿、ポリウレタンなどから伸縮性のある素材により形成されている。この構成により、着用者への圧迫が抑止される。したがって、尾てい骨保護下着１によれば、長時間の着用および着座が快適となる。
【００５２】
以上、本発明の実施形態を詳述したが、本発明は上記実施形態に限定されるものではない。そして本発明は、特許請求の範囲に記載された事項を逸脱することがなければ、種々の設計変更を行うことが可能である。尾てい骨保護下着は、通常の下着の上から着用される他、通常の下着の代わりにも着用される。また、尾てい骨保護下着は、例えば、長時間の着座を余儀なくされた障害者や高齢者、摂食障害などにより臀部の筋肉が落ちた患者など、尾てい骨疾患の予防にも利用される。
【符号の説明】
【００５３】
１                  尾てい骨保護下着
２                  縫合部
１０                下着本体
１１                後身頃
１２                前身頃
１３                股下マチ部
１４                裏地
１５                帯部
１６                幅狭部
１７                幅広部
１８                袋部
１９                開口部
３０                臀部保護パッド
３１                中心部
３２                左側部
３３                右側部
３４                収納口
３５                収納部
３６                パッド表側
３７                パッド裏側
４０                弾性パッド
４１                枠部
４２                通気孔
【図１】
0006017175.tif 000002
【図２】
0006017175.tif 000003
【図３】
0006017175.tif 000004